(57)【要約】【課題】携帯電話を使用してＱＲコード等の二次元コードをパチンコ遊技機との間で表示・読取するに際し、パチンコ遊技機に与えるおそれのある振動・衝撃により不正防止装置が誤作動することがないようにする。これによって不正行為を適確に検知しつつ、パチンコ遊技機における二次元コードの利用を可能にし、遊技者に新しい様々なサービスおよび遊興スタイルを提供できるようにする。【解決手段】遊技盤３に図柄変動表示装置１７が設けられていると共に、異常な揺動・振動を感知し通知する不正防止装置が備えられたパチンコ遊技機において、所定条件が満たされた際に該図柄変動表示装置にカメラ付携帯電話により読み取り可能な二次元コードを表示し、該二次元コードにより遊技者にとって価値ある情報が提供されるようにすると共に、少なくとも該二次元コードが表示されている間は前記不正防止装置の作動が停止されるようにした。【選択図】図２
2009066233.tif 000002
【特許請求の範囲】
【請求項１】
遊技盤に図柄変動表示装置が設けられていると共に、異常な揺動・振動を感知し通知する不正防止装置が備えられたパチンコ遊技機において、所定条件が満たされた際に該図柄変動表示装置にカメラ付携帯電話により読み取り可能な二次元コードを表示し、該二次元コードにより遊技者にとって価値ある情報が提供されるようにすると共に、少なくとも該二次元コードが表示されている間は前記不正防止装置の作動が停止されるようにしたことを特徴とするパチンコ遊技機。
【発明の詳細な説明】
【技術分野】
【０００１】
本発明は、図柄変動表示装置にカメラ付携帯電話により読み取り可能な二次元コードが表示されるようにしたパチンコ遊技機に関するものである。
【背景技術】
【０００２】
ＱＲコード（登録商標）によって代表される二次元コードは、従来のバーコードと比べて多量のデータを表現できると共に、読み取り方向が特定されず、ノイズにも強いなど優れた特徴を有する。このため二次元コードは従来から印刷だけでなく、パソコンやデジタルテレビのディスプレイに表示され、カメラ付携帯電話により読み取ることによりインターネット上のＷＥＢサイトのＵＲＬにアクセスでき、待ち受け画面、着信メロディ、携帯メール素材といったコンテンツを入手したり、クーポン券を発行したり買い物に利用できるようにすることが行われている。
なお、下記特許文献１は、所定条件が満たされた際にＱＲコード（登録商標）が液晶表示装置に表示され、遊技者がその表示をカメラ付携帯電話により読み取ることにより、そのＱＲコードに書き込まれたＷＥＢサイトのＵＲＬにアクセスすることができたり、遊技情報を取得できるようにした遊技機が示されている。
【特許文献１】特開２００７−１５１５７７号公報
【特許文献２】特開２００４−２３６９０２号公報
【発明の開示】
【発明が解決しようとする課題】
【０００３】
ところで、従来から一般にパチンコ遊技機には、異常な振動・揺動を感知する不正防止装置が備えられ、遊技者が前面ガラス（透明板）を叩いたり遊技機を揺らしたりすると、その振動・揺動を感知し、外部情報端子に信号を出力すると同時に音声等による警報が発せられるようにしている。
しかし、上記のように液晶表示装置にＱＲコードが表示されるようにした遊技機では、遊技者がカメラ付携帯電話をバッグから取り出して、そのＱＲコードを読み取ろうとする際に、バッグが遊技機に当たったり、携帯電話が該遊技機の前面ガラスに当たって衝撃を与えたり、遊技機を揺らしてしまうおそれがあったため、その遊技者が不正をしようとしていない場合でも警報が発せられるおそれがあった。
本発明は上記課題を解決し、不正行為に対し適確に通知がなされるパチンコ遊技機を提供しようとするものである。
【課題を解決するための手段】
【０００４】
上記課題を解決するため請求項１に記載した発明は、遊技盤に図柄変動表示装置が設けられていると共に、異常な揺動・振動を感知し通知する不正防止装置が備えられたパチンコ遊技機において、所定条件が満たされた際に該図柄変動表示装置にカメラ付携帯電話により読み取り可能な二次元コードを表示し、該二次元コードにより遊技者にとって価値ある情報が提供されるようにすると共に、少なくとも該二次元コードが表示されている間は前記不正防止装置の作動が停止されるようにしたことを特徴とする。
【発明の効果】
【０００５】
本発明によれば、携帯電話を使用してＱＲコード等の二次元コードをパチンコ遊技機との間で表示・読取するに際し、パチンコ遊技機に与えるおそれのある振動・衝撃により不正防止装置が誤作動することがない。このため、不正行為を適確に検知しつつ、パチンコ遊技機における二次元コードの利用を可能にし、遊技者に新しい様々なサービスおよび遊興スタイルを提供できるようになる。
【発明を実施するための最良の形態】
【０００６】
次に本発明に係るパチンコ遊技機の実施形態を図面に従い説明する。図１は本発明に係るパチンコ遊技機の正面図で、１は前面に設けられた球受け皿、２は打球発射用ハンドルである。３は遊技者が該ハンドル２を操作することにより打球が発射される遊技盤で、遊技盤３の中央にセンター役物４が設けられる。５ａ，５ｂは遊技球が流下する遊技盤の左側領域上部と右側領域上部に夫々設けられた普通入賞口、６ａ，６ｂはその下方に夫々設けられた普通入賞口、７ａ，７ｂは遊技盤の左側領域下部と右側領域下部に夫々設けられた始動入賞口、８はセンター役物４の直下方に設けられソレノイドの作動により一対の翼片が開閉動するように構成された所謂チューリップ型の電動開閉始動入賞口である。なお、９は遊技領域の下端部に設けられたアウト球排出口、１０ａ，１０ｂはランプ付き装飾体である。
【０００７】
センター役物４は、中央上部に設けられた装飾体１１の両側に球入口１２ａ，１２ｂが形成され、該球入口にソレノイドの作動により該球入口１２ａ，１２ｂを開閉させる可動羽根１３ａ，１３ｂが軸支されている。１４ａ〜１４ｂは該センター役物４内に設けられた可動役物、１５は該センター役物４の下縁部に設けられた特別入賞口、１６ａ，１６ｂは該特別入賞口の両側に設けられた普通入賞口である。また、センター役物４の中央部は遊技者が透視できるように透明樹脂により成形されその奥に液晶等の図柄変動表示装置１７が設けられている。
【０００８】
図２はこのパチンコ遊技機を作動させる遊技制御回路のブロック図で、１８はＣＰＵとＲＡＭ，ＲＯＭおよびＩ／Ｏとからなる主制御基板、１９は該主制御基板に接続され前記図柄変動表示装置１７を駆動する図柄制御基板、２０は音声制御基板、２１はランプ制御基板、２２は賞球払出制御基板である。また、２３は前記普通入賞口５ａ，５ｂ，６ａ，６ｂおよび始動入賞口７ａ，７ｂ、電動開閉始動入賞口８、および特別入賞口１５、普通入賞口１６ａ，１６ｂに設けられた入賞球検出スイッチ、２４，２５は前記可動役物を動かすソレノイドおよびモータである。そしてこのパチンコ遊技機では、前面ガラス（透明板）や遊技機全体の異常な揺動・振動を感知するセンサ２６が設けられる。また、２７はこのパチンコ遊技機の遊技情報をホール管理コンピュータ（図示せず）に出力する外部出力端子である。
【０００９】
このパチンコ遊技機は、遊技盤上に発射された遊技球が始動入賞口７ａ，７ｂまたは電動開閉始動入賞口８に入賞すると、可動羽根１３ａ，１３ｂが開閉動し、球入口１２ａ，１２ｂよりセンター役物４内に遊技球が入り得るようになる。そしてセンター役物４内に入った遊技球は、センター役物４内に設けられた種々の遊技球遊動流路や可動役物１４ａ〜１４ｂを経ることにより、特別入賞口１５または普通入賞口１６ａ，１６ｂに入賞する。普通入賞口１６ａ，１６ｂに遊技球が入賞した場合は、球受け皿１に所定数の賞球が払い出される。また、特別入賞口１５に遊技球が入賞すると、大当たり状態となり、可動羽根１３ａ，１３ｂを一定期間繰り返し開閉させる。このためセンター役物４内に遊技球が一層入り易くなり、センター役物４内に入った遊技球は特別入賞口１５または普通入賞口１６ａ，１６ｂにまた入賞するので、その大当たり状態の間に多数の賞球が払い出される。
【００１０】
なお、このパチンコ遊技機では、上記遊技中にセンサ２６が異常な揺動・振動を感知するようなことがあると、上記ＣＰＵが異常検出信号を出力し、外部出力端子２７を通してホール管理コンピュータにその異常を伝達すると共に、音声制御基板２０を作動させスピーカより警報を発する不正防止装置が設けられている。
【００１１】
そして、上記大当たり状態が終了したことを契機とし、図１に示したように、図柄変動表示装置１７にＱＲコードが表示され、遊技者にそのＱＲコードをカメラ付携帯電話により読み取るべきであることを促す。即ち、カメラ付携帯電話によりこのＱＲコードを読み取ると、遊技者にとって価値ある情報が提供されるようにする。そして、このＱＲコードが図柄変動表示装置１７に表示されている間は上記不正防止装置の作動が停止されるようにする。即ち、図３のフローチャートに示したように、ステップ（ａ）にてセンサ２６が異常な揺動・振動を感知すると、ステップ（ｂ）にてＱＲコードを表示中であるかどうかが問われ、ＱＲコードを表示中でなければ、ステップ（ｃ）に移行して上記のように異常検出信号を出力し、外部出力端子２７を通してホール管理コンピュータにその異常を伝達すると共に、音声制御基板２０を作動させスピーカより警報を発するが、ステップ（ｂ）にてＱＲコードを表示中であると判断されると、異常検出信号や警報を発することなく、揺動・振動に対し監視状態が続けられる。
【００１２】
このため、ＱＲコードが表示されたことに起因し、遊技者が自分のカメラ付携帯電話を取り出し、このＱＲコードを読み取ろうとする際に、バッグや携帯電話が遊技機に当たって衝撃を与えたり、遊技機を揺らしてしまうことがあっても、上記不正防止装置が誤作動するおそれがない。
【００１３】
なお、携帯電話にＱＲコードを読み取ることにより、専用の携帯サイトにアクセスすれば遊技者の好みのコンテンツを無料でダウンロードできる特典を与えたり、その他の特典を与えるポイントや割引クーポンが入手できるようにすることができる。
【００１４】
また、図示しないが、パチンコ遊技機にＱＲコードを読み取り可能なＣＣＤカメラを設け、携帯電話のディスプレイに表示されたＱＲコードを該ＣＣＤカメラにより読み取ることにより遊技者を識別できるようにすることで、遊技者に該パチンコ遊技機が固有のサービスを提供できるようにすることが可能であるが、このようにパチンコ遊技機に備えられたＣＣＤカメラにより遊技者の携帯電話に表示されたＱＲコードを読み取るに際しても、上記不正防止装置を一時的に停止させることにより、携帯電話を操作するときに該パチンコ遊技機に衝撃を与え警報を発してしまうことによる該不正防止装置の誤作動をなくすことができる。
また、ＱＲコードは、記号・数字・英字・漢字・カナ・ひらがな・バイナリ・制御コード等、あらゆるデータを扱うことができるので、このパチンコ遊技機の遊技制御回路の作動を遊技者の携帯電話から得られたデータに従って制御し、遊技性を増大させることも可能となる。
【図面の簡単な説明】
【００１５】
【図１】本発明に係るパチンコ遊技機の正面図。
【図２】本発明に係るパチンコ遊技機の遊技制御回路のブロック図。
【図３】本発明に係るパチンコ遊技機の不正防止装置のフローチャート。
【符号の説明】
【００１６】
３      遊技盤
１７    図柄変動表示装置
１８    主制御基板
２０    音声制御基板
２６    揺動・振動を感知するセンサ
２７    外部出力端子
【図１】
2009066233.tif 000003
【図２】
2009066233.tif 000004
【図３】
2009066233.tif 000005